【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
電力グリッドを管理する中央電力グリッド局と、前記電力グリッド内の運用データおよびイベントデータを生成するよう構成された複数のグリッドおよび電力システムコンポーネントとの通信を促進する統合フレームワークであって、
前記中央電力グリッド局へ運用データを伝達するよう構成された運用バスであって、前記運用データは、前記電力グリッドの少なくとも一部の電圧、電流、有効電力、または無効電力の少なくとも１つのリアルタイム測定値を含む、前記運用バスと、
前記中央電力グリッド局へイベントデータを伝達するよう構成されたイベントバスであって、前記イベントバスは、前記運用バスとは別であり、前記イベントデータは、前記リアルタイム測定値とは異なるものであり、前記リアルタイム測定値から抽出され、前記少なくとも１つのリアルタイム測定値に基づき前記電力グリッドの動作に関する少なくとも１つの分析決定を含む、前記イベントバスと、
を含む、前記統合フレームワークであって、
前記運用バスは、前記イベントデータではなく前記運用データを伝達するよう構成され、
前記イベントバスは、前記運用データではなく前記イベントデータを伝達するよう構成されている、統合フレームワーク。
【請求項２】
受信されたデータの少なくとも一部を分析し、前記データを前記運用バスまたは前記イベントバスへルーティングするよう構成された少なくとも１つのスイッチをさらに含む、請求項１に記載の統合フレームワーク。
【請求項３】
受信されたデータの少なくとも一部を分析し、前記運用バスおよび前記イベントバスのうちの１つへ前記データをルーティングするよう構成されたルータをさらに含む、請求項１に記載の統合フレームワーク。
【請求項４】
前記ルータは、前記データを前記運用バスへルーティングするか、または前記イベントバスへルーティングするかを決定するために、前記データ内の少なくとも１つのヘッダを分析するよう構成されている、請求項３に記載の統合フレームワーク。
【請求項５】
前記ルータは、前記中央電力グリッド局にある、請求項３または４に記載の統合フレームワーク。
【請求項６】
前記運用バスは、非運用データをさらに伝達するよう構成され、前記非運用データは、電力品質、電力信頼性、アセット正常性、および圧迫データのうちの少なくとも１つを含む、請求項１ないし５のいずれかに記載の統合フレームワーク。
【請求項７】
前記統合フレームワークは、前記中央電力グリッド局と、請求システムとの間を伝達するよう構成されたサービスバスをさらに含み、前記サービスバスは、前記運用バスおよび前記イベントバスとは別である、請求項６に記載の統合フレームワーク。
【請求項８】
前記運用バスは、運用データ記憶データベースと、供給停止管理システム、エネルギー管理システム、および配電管理システムのうちの少なくとも１つとに、動作可能なように接続されている、請求項１ないし７のいずれかに記載の統合フレームワーク。
【請求項９】
前記運用バスは、前記運用データ記憶データベースと、前記供給停止管理システム、前記エネルギー管理システムと、前記配電管理システムとに、動作可能なように接続されている、請求項８に記載の統合フレームワーク。
【請求項１０】
前記イベントバスは、イベントログ記憶データベースと、供給停止管理システム、エネルギー管理システムのうちの少なくとも１つと、配電管理システムとに、動作可能なように接続されている、請求項１ないし９のいずれかに記載の統合フレームワーク。
【請求項１１】
前記イベントバスは、前記イベントログ記憶データベースと、前記供給停止管理システム、前記エネルギー管理システムと、前記配電管理システムとに、動作可能なように接続されている、請求項７に記載の統合フレームワーク。
【請求項１２】
複数のグリッドおよび電力システムコンポーネントから電力グリッドを管理する中央電力グリッド局へ運用データおよびイベントデータを伝達する方法であって、
運用バスで前記中央電力グリッド局へ運用データを、少なくとも一部を無線で伝達するステップであって、前記運用データは、前記電力グリッドの少なくとも一部の電圧、電流、有効電力、または無効電力の少なくとも１つのリアルタイム測定値を含む、前記ステップと、
イベントバスで前記中央電力グリッド局へイベントデータを、少なくとも一部を無線で伝達するステップであって、前記イベントバスは、前記運用バスとは別であり、前記イベントデータは、前記リアルタイム測定値とは異なるものであり、前記リアルタイム測定値から抽出され、前記少なくとも１つのリアルタイム測定値に基づき前記電力グリッドの動作に関する少なくとも１つの分析決定を含む、前記ステップと、
を含む、前記方法であって、
前記運用データは、前記運用バスを介して伝達され、前記イベントバスを介しては伝達されず、
前記イベントデータは、前記イベントバスを介して伝達され、前記運用バスを介しては伝達されない、方法。
【請求項１３】
受信されたデータの少なくとも一部を分析するステップと、
前記運用バスおよび前記イベントバスのうちの１つへ前記データをルーティングするステップと、
をさらに含む、請求項１２に記載の方法。
【請求項１４】
前記運用バスは、非運用データをさらに伝達し、前記非運用データは、電力品質、電力信頼性、アセット正常性、および圧迫データのうちの少なくとも１つを含む、請求項１２および１３のいずれかに記載の方法。
【請求項１５】
電力グリッドのデータ管理システムであって、前記電力グリッドは、前記電力グリッドを管理する中央電力グリッド局と、前記電力グリッド内の複数のデバイスとを含み、前記データ管理システムは、
前記電力グリッドのセクションに配置されたデバイスに関連するデータ記憶装置であって、前記データ記憶装置は、前記デバイスに近接しており、前記デバイスは、前記電力グリッドの前記セクションにおいて電気パラメータを感知し、前記データ記憶装置は、前記感知された電気パラメータを記憶する複数のメモリ位置を含む、前記データ記憶装置と、
前記中央電力グリッド局に関連する中央データ記憶装置であって、前記データ記憶装置内の前記メモリ位置へのリンクを含む、前記中央データ記憶装置と、
を含む、データ管理システム。
【請求項１６】
前記電力グリッド内の前記デバイスは、変電所を含む、請求項１５に記載のデータ管理システム。
【請求項１７】
前記変電所に関連する前記データ記憶装置は、前記変電所内または前記変電所上にあるメモリを含む、請求項１６に記載のデータ管理システム。
【請求項１８】
前記変電所は、前記リンクを前記中央電力グリッド局へ送信し、
前記中央電力グリッド局は、前記リンクを前記中央データ記憶装置に記憶する、請求項１６に記載のデータ管理システム。
【請求項１９】
前記中央電力グリッド局は、前記中央データ記憶装置内の前記リンクにアクセスし、
前記中央電力グリッド局は、前記変電所へリクエストを送信して、前記リンクに関連するデータをリクエストし、
前記中央電力グリッド局は、前記リンクに関連する前記データを含むレスポンスを前記変電所から受信する、請求項１８に記載のデータ管理システム。
【請求項２０】
前記変電所は、前記リンクに関連する少なくとも１つのヘッダをさらに送信し、
前記中央電力グリッド局は、
前記中央電力グリッド局へ運用データを伝達する、バスの第１部分であって、前記運用データは、前記電力グリッドの少なくとも一部の電圧、電流、有効電力、または無効電力の少なくとも１つのリアルタイム測定値を含む、前記第１部分と、
前記中央電力グリッド局へイベントデータを伝達する、バスの第２部分であって、前記第２部分は、前記第１部分とは別であり、前記イベントデータは、前記リアルタイム測定値とは異なるものであり、前記リアルタイム測定値から抽出され、前記少なくとも１つのリアルタイム測定値に基づき前記電力グリッドの動作に関する少なくとも１つの分析決定を含む、前記第２部分と、
を含み、
前記運用データは、前記第１部分を介して伝達され、前記第２部分を介しては伝達されず、
前記イベントデータは、前記第２部分を介して伝達され、前記第１部分を介しては伝達されない、請求項１８に記載のデータ管理システム。
【請求項２１】
データが前記データ記憶装置内の前記メモリ位置に記憶され、
前記中央データ記憶装置は、前記データ記憶装置内の前記メモリ位置への前記リンクを記憶し、前記メモリ位置に記憶されている前記データは記憶しない、請求項１５に記載のデータ管理システム。
【請求項２２】
前記電力グリッド内の前記複数のデバイスのうちの前記少なくとも１つは、顧客構内にある計器を含む、請求項１５に記載のデータ管理システム。
【請求項２３】
電力グリッドを管理する電力グリッド管理システムであって、前記電力グリッドは、複数のグリッドデバイスを含み、前記電力グリッド管理システムは、
前記電力グリッドを管理する中央電力グリッド局と、
前記電力グリッドの第１セクションに配置された第１グリッドデバイスであって、
前記電力グリッドの前記第１セクションにおいて電気パラメータを感知する第１センサー、および
前記電力グリッドの前記第１セクションにおいて前記感知された電気パラメータを分析して、前記感知された電気パラメータに基づきイベントを決定する第１プロセッサ
を含む、前記第１グリッドデバイスと、
前記電力グリッドの第２セクションに配置された第２グリッドデバイスであって、
前記第１グリッドデバイスにより決定された前記イベントを受信し、前記第２セクションを含む前記電力グリッドの少なくとも或るセクションに、前記イベントに基づき変更を加え、前記電力グリッドの前記少なくとも或るセクションの前記変更を示す情報を、前記中央電力グリッド局へ送る、第２プロセッサ
を含む、前記第２グリッドデバイスと、
を含む、電力グリッド管理システム。
【請求項２４】
前記第２グリッドデバイスは、前記中央電力グリッド局の介入なしに、前記電力グリッドの前記セクションに変更を加える、請求項２３に記載の電力グリッド管理システム。
【請求項２５】
前記第２グリッドデバイスは、変電所を含む、請求項２３に記載の電力グリッド管理システム。
【請求項２６】
少なくとも１つのフィーダ回路が前記変電所から出ており、
前記第１グリッドデバイスの前記第１センサーは、前記フィーダ回路の少なくとも一部の前記電気パラメータを感知する、請求項２５に記載の電力グリッド管理システム。
【請求項２７】
前記第２グリッドデバイスは、前記電力グリッドの前記第２セクションにおいて電気パラメータを感知する第２センサーをさらに含み、
前記第２プロセッサは、前記電力グリッドの前記少なくとも或るセクションに変更を加えるために、前記第１グリッドデバイスにより決定された前記イベントと、前記電力グリッドの前記第２セクションにおいて前記感知された電気パラメータとを分析する、請求項２６に記載の電力グリッド管理システム。
【請求項２８】
前記変電所は、前記変電所に関連し近接しているデータ記憶装置をさらに含み、前記データ記憶装置は、前記電力グリッドの前記第２セクションにおいて前記感知された電気パラメータを記憶する複数のメモリ位置を含む、請求項２７に記載の電力グリッド管理システム。
【請求項２９】
電力グリッドのデータ管理システムのための方法であって、前記電力グリッドは、前記電力グリッドを管理する中央電力グリッド局と、前記電力グリッド内の複数のデバイスとを含み、前記方法は、
前記電力グリッドのセクションに配置された電気デバイスを使用して、前記電力グリッドの前記セクションにおいて電気パラメータを感知するステップと、
前記感知された電気パラメータを、データ記憶デバイスのメモリ位置に記憶するステップであって、前記データ記憶デバイスは、前記電気デバイスに関連し前記デバイスに近接している、前記ステップと、
前記データ記憶デバイスの前記メモリ位置を、前記中央電力グリッド局に関連する中央データ記憶装置へ送信するステップと、
を含む方法。
【請求項３０】
前記電力グリッド内の前記デバイスは、変電所を含む、請求項２９に記載の方法。
【請求項３１】
前記変電所に関連する前記データ記憶装置は、前記変電所内または前記変電所上にあるメモリを含む、請求項３０に記載の方法。
【請求項３２】
前記変電所は、前記リンクを前記中央電力グリッド局へ送信し、
前記中央電力グリッド局は、前記リンクを前記中央データ記憶装置に記憶する、請求項３０に記載の方法。
【請求項３３】
前記中央電力グリッド局は、前記中央データ記憶装置内の前記リンクにアクセスし、
前記中央電力グリッド局は、前記変電所へリクエストを送信して、前記リンクに関連するデータをリクエストし、
前記中央電力グリッド局は、前記リンクに関連する前記データを含むレスポンスを前記変電所から受信する、請求項３２に記載の方法。
【請求項３４】
前記運用バスおよび前記イベントバスに結合され、および前記運用データを受信および記憶するよう構成されたサーバをさらに含み、前記サーバは、
前記運用データを少なくとも１つのルールに関して分析し、
前記分析に基づき少なくとも１つのイベントを生成し、
前記電力グリッドの少なくとも１つのセクション内で自己回復をトリガするために、前記少なくとも１つのイベントを前記グリッドおよび電力システムコンポーネントのうち少なくとも１つに送信するようさらに構成されている、請求項１に記載の統合フレームワーク。
【請求項３５】
前記サーバは前記電力グリッドの変電所にあり、前記少なくとも１つのイベントは、前記変電所の運用変更をトリガする、請求項３４に記載の統合フレームワーク。
【請求項３６】
前記サーバは、前記中央電力グリッド局へ送られる作業命令を生成するようさらに構成されている、請求項３４に記載の統合フレームワーク。
【請求項３７】
前記グリッドおよび電力システムコンポーネントは、１つ以上のスマート計器ネットワークデバイスをさらに含む、請求項１２に記載の方法。
【請求項３８】
複数のイベントストリームを少なくとも１つのイベントパターンに従い解釈するために、前記複数のイベントストリームを前記イベントバスによってフィルタリングするステップと、
前記複数のイベントストリームの前記解釈を、前記イベントバスによって前記複数のグリッドおよび電力システムコンポーネントの少なくとも１つに送信するステップと、
をさらに含む、請求項１２に記載の方法。
【請求項３９】
前記運用バスおよび前記イベントバスに結合されたサーバによって、前記運用データを受信および記憶するステップと、
前記サーバによって、前記運用データを少なくとも１つのルールに関して分析するステップと、
前記サーバによって、前記分析に基づき少なくとも１つのイベントを生成するステップと、
前記サーバによって、前記電力グリッドの少なくとも１つのセクション内で自己回復をトリガするために、前記少なくとも１つのイベントを前記グリッドおよび電力システムコンポーネントのうち少なくとも１つに送信するステップと、
をさらに含む、請求項１２に記載の方法。
【請求項４０】
前記サーバは前記電力グリッドの変電所にあり、前記サーバによって、前記少なくとも１つのイベントに基づいて前記変電所の運用変更をトリガするステップをさらに含む、請求項３９に記載の方法。
【請求項４１】
前記サーバによって、前記中央電力グリッド局へ送られる作業命令を生成するステップをさらに含む、請求項３９に記載の方法。
【請求項４２】
電力グリッドの第１セクションにある変電所であって、前記変電所は、
前記電力グリッドの第２セクションに配置されたグリッドデバイスと通信するよう構成された通信インターフェースと、
前記通信インターフェースと通信するプロセッサを含み、
前記グリッドデバイスは、前記電力グリッドの前記第２セクションにおいて電気パラメータを感知し、前記電力グリッドの前記第２セクションにおいて前記感知された電気パラメータを分析し、前記感知された電気パラメータに基づいてイベントを決定するよう構成され、前記通信インターフェースは前記イベントを受信するよう構成され、
前記プロセッサは、
前記グリッドデバイスによって決定された前記イベントを受信し、
前記受信されたイベントに基づいて前記電力グリッドの前記第１セクションに変更を加え、
前記電力グリッドの前記第１セクションに加えた前記変更を示す情報を、中央電力グリッド局に送信するよう構成されている、
変電所。
【請求項４３】
前記変電所は、前記中央電力グリッド局の介入なしに、前記電力グリッドの前記第１セクションに変更を加えるよう構成されている、請求項４２に記載の変電所。
【請求項４４】
１つのフィーダ回路が前記変電所から出ており、
前記通信インターフェースは、前記フィーダ回路の少なくとも一部についての前記感知された電気パラメータを、前記グリッドデバイスから受信するよう構成されている、請求項４２に記載の変電所。
【請求項４５】
前記電力グリッドの前記第１セクションにおいて電気パラメータを感知するよう構成されたセンサーをさらに含み、
前記プロセッサは、前記電力グリッドの前記第１セクションに変更を加えるために、前記グリッドデバイスにより決定された前記イベントと、前記センサーからの前記感知された電気パラメータとを分析するよう構成されている、請求項４４に記載の変電所。
【請求項４６】
前記変電所は、前記変電所に関連し近接しているデータ記憶装置をさらに含み、前記データ記憶装置は、前記センサーからの前記感知された電気パラメータを記憶するよう構成された複数のメモリ位置を含む、請求項４５に記載の変電所。